(57)【要約】【課題】本発明は原稿の読取画像をネットワークを介して送信する際に宛先端末の画像表示手段が適切に表示できる画像を送信する画像処理装置を提供する。【解決手段】画像処理装置１は、原稿の読取領域を読取ユニット２で読み取って、デジタル画像データに変換してＭＥＭ１０を介してネットワーク送信可能な送信ファイルに変換してネットワークＮＷを介してターゲットに送信する際に、読取ユニット２による原稿の読取領域が決定され、液晶タッチパネル１２からキーワードが入力されると、入力されたキーワードに基づいて、ターゲットを特定するキーワードとターゲットの備えている表示画面の表示画素数を対応させて記憶するＲＡＭ１３等からターゲットの表示画面の表示画素数を取得し、原稿の読取領域全体の画像を当該表示画面の表示画素数で表示可能な最大解像度を基本解像度とし、当該基本解像度の送信ファイルを生成してターゲットに送信する。【選択図】          図１
2005020059.tif 000002
【特許請求の範囲】
【請求項１】
原稿の所定の読取領域を読み取る読取手段と、当該読取手段の読み取った原稿のアナログの画像データをデジタル画像データに変換するデジタル変換手段と、当該デジタル変換手段のデジタル変換した画像データを記憶するデータ記憶手段と、デジタル画像データに必要な画像処理を施す画像処理手段と、デジタル画像データをネットワーク送信可能な送信ファイルに変換するファイル変換手段と、当該ファイル変換手段の変換したファイルを当該ネットワークを介して画像表示手段を備えた種々の宛先端末に送信する送信手段と、を備えた画像処理装置であって、前記宛先端末を特定する宛先端末情報と当該宛先端末の備えている前記画像表示手段の表示画素数を対応させて記憶する宛先画素数記憶手段と、前記宛先端末情報が入力される入力手段と、前記読取手段による前記原稿の読取領域を決定する読取領域決定手段と、を備え、前記ファイル変換手段での前記送信ファイルの作成において、前記読取領域決定手段で原稿の読取領域が決定され、前記入力手段で宛先端末情報が入力されると、当該入力された宛先端末情報に基づいて前記宛先画素数記憶手段から当該宛先端末の画像表示手段の表示画素数を取得し、前記読取領域決定手段で決定された原稿の読取領域全体の画像を当該画像表示手段の表示画素数で表示可能な最大解像度を基本解像度とすることを特徴とする画像処理装置。
【請求項２】
前記画像処理装置は、前記原稿の読取領域の縦横比と前記宛先端末の画像表示手段の表示画素数の縦横比が異なると、前記原稿の読取領域の縦方向全体が前記宛先端末の画像表示手段の表示画素数の縦方向いっぱいに表示される解像度か、前記原稿の読取領域の横方向全体が前記宛先端末の画像表示手段の表示画素数の横方向いっぱいに表示される解像度のうち、より低い方の解像度を前記基本解像度とすることを特徴とする請求項１記載の画像処理装置。
【請求項３】
前記画像処理装置は、前記原稿の読取領域の縦横比と前記宛先端末の画像表示手段の表示画素数の縦横比が異なると、前記原稿の読取領域の縦方向全体が前記宛先端末の画像表示手段の表示画素数の横方向いっぱいに表示される解像度か、前記原稿の読取領域の横方向全体が前記宛先端末の画像表示手段の表示画素数の縦方向いっぱいに表示される解像度のうち、より低い方の解像度を前記基本解像度とすることを特徴とする請求項１記載の画像処理装置。
【請求項４】
前記画像処理装置は、前記原稿の読取領域の縦横比と前記宛先端末の画像表示手段の表示画素数の縦横比が異なると、前記原稿の読取領域の縦方向全体が前記宛先端末の画像表示手段の表示画素数の縦方向いっぱいに表示される解像度か、前記原稿の読取領域の横方向全体が前記宛先端末の画像表示手段の表示画素数の横方向いっぱいに表示される解像度のうち、より低い方の解像度と、前記原稿の読取領域の縦方向全体が前記宛先端末の画像表示手段の表示画素数の横方向いっぱいに表示される解像度か、前記原稿の読取領域の横方向全体が前記宛先端末の画像表示手段の表示画素数の縦方向いっぱいに表示される解像度のうち、より低い方の解像度のうち、より高い解像度を前記基本解像度とすることを特徴とする請求項１記載の画像処理装置。
【発明の詳細な説明】
【０００１】
【発明の属する技術分野】
本発明は、画像処理装置に関し、詳細には、読み取った原稿の画像をネットワークを介して宛先端末へ送信する際に、当該宛先端末の画像表示手段が適切に表示できる画像を送信する画像処理装置に関する。
【０００２】
【従来の技術】
【特許文献１】
特開２０００−２２４３５７号公報
【特許文献２】
特開平６−３２６８５６号公報
【特許文献３】
特開２０００−２３２５５３号公報
近年、ＰＤＡ（Ｐｅｒｓｏｎａｌ  Ｄｉｇｉｔａｌ  Ａｓｓｉｓｔａｎｃｅ）に代表される携帯情報端末やデジタル複合装置に代表されるオフィス端末等がネットワークに接続する機能を備えるようになり、それに伴って、パーソナルコンピュータの間で主に利用されていた電子メールやネットサーフィン等のサービスを、種々の端末からでも利用できるようになってきている。さらに、将来的には、一般家庭に普及している家電製品がネットワークに接続し、利用者の日常生活を支援するようになるといわれている。例えば、インターネットを利用してレシピをダウンロードするインターネット電子レンジ、近所のスーパーマーケットから広告メールが届くインターネット冷蔵庫等のＩＴ家電と称される製品の開発が進められている。
【０００３】
また、一般的に、携帯情報端末、オフィス端末、ＩＴ家電等に装備されている表示装置は、装置本体の容積や表面積の制約により、パーソナルコンピュータのモニタと比較すると、表示面積が小さく、表示画素数も少ない。そのため、携帯情報端末、オフィス端末、ＩＴ家電等の端末で画像を表示する場合には、画像全体が表示画面に収まる最大のサイズで表示したいという要望が強い。また、特定の端末で表示することを目的とした電子文書（例えば、ＨＴＭＬ文書）を作成する場合、画像全体が表示画面に収まる最大のサイズを基本単位として、その何％の大きさで画像を表示するか等のレイアウトの決め方をすることが多い。
【０００４】
また、デジタル複写機等のように、紙の文書を読み取り、それらの複製物を別の紙面へ印刷する画像処理装置の場合には、出力用紙指定変倍といわれる技術が普及している。この技術は、ユーザが原稿のサイズと出力用紙のサイズとを指定することで、例えば、図１７のようなタッチパネル式の画面で原稿と出力用紙のサイズを指定することで、双方の画像サイズが異なっていても、原稿全体が出力用紙全体に印刷されるように、画像処理装置が自ら変倍率を算出し、例えば、図１８に示すような変倍率テーブルに基づいて変倍率を算出し、算出した変倍率に従って変倍処理を行う技術である。
【０００５】
この出力用紙指定変倍技術によって、ユーザが、原稿と出力用紙の寸法を詳細に調べたり、変倍処理が必要か否かを判断したり、変倍率を画像処理装置に設定したりという手間を省くことができる。
【０００６】
そして、原稿も出力先も共に紙媒体である場合、日本国内であれば、紙媒体としては、ＪＩＳ（日本工業規格）で規定されたＡ判またはＢ判サイズを用いていることが多い。そのため、出力用紙指定変倍での変倍率の種類は限られ、目的とする変倍率をユーザ自身が求めることも容易である。
【０００７】
ところが、携帯端末、オフィス端末、ＩＴ家電等に表示するための画像ファイルを作成する場合、表示画面の画素数やアスペクト比（縦横比）等は、各製品に固有であるため、ユーザがイメージするサイズで表示される解像度を、ユーザ自身が求めることは大変な作業となる。
【０００８】
そこで、ユーザがイメージするサイズで表示される解像度を有する画像ファイルを簡単に作成することのできる技術が求められている。
【０００９】
そして、従来、ドキュメントをスキャニングし、受信者毎に予め設定されたプロファイルにアクセスするソフトウェア自動送信ユーティリティを使用し、その画像ファイルを離れた受信者に送信するためのシステムを実現することで、ユーザが離れた受信者に対応するスキャニング特性を使用してドキュメントをスキャニングし、打鍵が最小回数で済む適切なファイル転送プロトコルを使用して、得られた画像ファイルを離れた受信者に送信する画像ファイルの送信方法及び画像ファイルの送信装置が提案されている（特許文献１参照）。
【００１０】
また、従来、ネットワークを介して複数の計算機を接続しているシステムにおいて、システムの一部に蓄積されている画像データを別の装置に転送し利用する場合、転送先の装置の仕様に合わせた画像の変換を操作者が意識せずに実行するとともに、変換を施し転送する場合において転送も含めた処理全体の効率が最も高い手順で変換を施すデータ記憶装置が提案されている（特許文献２参照）。
【００１１】
さらに、本出願人は、先に、画情報送信時、指定された宛先が電話番号テーブルに登録されており、さらに、その登録内容に有効なメールアドレスと、有効な受信能力が含まれている場合には、登録された受信能力を適用して読み取りと符号化を行って形成した画情報を電子メールを用いて画情報を送信するネットワークファクシミリ装置およびその制御方法を提案している（特許文献３参照）。
【００１２】
【発明が解決しようとする課題】
しかしながら、このような従来技術にあっては、いずれも、端末の画面に表示される画像サイズをユーザが自由に変更しようとした場合、その都度、画像ファイルの解像度を設定する必要があり、利用性が悪いという問題があった。
【００１３】
そこで、請求項１記載の発明は、原稿の所定の読取領域を読取手段で読み取った画像データをデジタル画像データに変換し、ネットワーク送信可能な送信ファイルに変換して、当該ネットワークを介して画像表示手段を備えた種々の宛先端末に当該送信ファイルを送信するに際して、宛先端末を特定する宛先端末情報と当該宛先端末の備えている画像表示手段の表示画素数を対応させて宛先画素数記憶手段に記憶し、送信ファイルの作成において、読取手段による原稿の読取領域が決定され、宛先端末情報が入力されると、当該入力された宛先端末情報に基づいて宛先画素数記憶手段から当該宛先端末の画像表示手段の表示画素数を取得し、原稿の読取領域全体の画像を当該画像表示手段の表示画素数で表示可能な最大解像度を基本解像度とすることにより、ユーザが画像を表示したい宛先端末の仕様を知らなくても、単に宛先端末を特定する宛先端末情報を入力するだけで、宛先端末の画像表示手段に適切に表示可能な解像度の送信ファイルを作成し、利用性を向上させつつ、宛先端末の画像表示手段が適切に表示できる画像を作成する画像処理装置を提供することを目的としている。
【００１４】
請求項２記載の発明は、原稿の読取領域の縦横比と宛先端末の画像表示手段の表示画素数の縦横比が異なると、原稿の読取領域の縦方向全体が宛先端末の画像表示手段の表示画素数の縦方向いっぱいに表示される解像度か、原稿の読取領域の横方向全体が宛先端末の画像表示手段の表示画素数の横方向いっぱいに表示される解像度のうち、より低い方の解像度を基本解像度とすることにより、原稿領域と宛先端末の画像表示手段の画素数の縦横比が異なっていても、両者が縦長または横長の形状であれば、ユーザが画像を表示したい宛先端末の仕様を知らなくても、単に宛先端末を特定する宛先端末情報を入力するだけで、宛先端末の画像表示手段に適切に表示可能な解像度の送信ファイルを作成し、利用性を向上させつつ、宛先端末の画像表示手段が適切に表示できる画像を作成する画像処理装置を提供することを目的としている。
【００１５】
請求項３記載の発明は、原稿の読取領域の縦横比と宛先端末の画像表示手段の表示画素数の縦横比が異なると、原稿の読取領域の縦方向全体が宛先端末の画像表示手段の表示画素数の横方向いっぱいに表示される解像度か、原稿の読取領域の横方向全体が宛先端末の画像表示手段の表示画素数の縦方向いっぱいに表示される解像度のうち、より低い方の解像度を基本解像度とすることにより、原稿領域と宛先端末の画像表示手段の画素数の縦横比が異なっていても、一方が縦長で、他方が横長の形状であれば、ユーザが画像を表示したい宛先端末の仕様を知らなくても、単に宛先端末を特定する宛先端末情報を入力するだけで、宛先端末の画像表示手段に適切に表示可能な解像度の送信ファイルを作成し、利用性を向上させつつ、宛先端末の画像表示手段が適切に表示できる画像を作成する画像処理装置を提供することを目的としている。
【００１６】
請求項４記載の発明は、原稿の読取領域の縦横比と宛先端末の画像表示手段の表示画素数の縦横比が異なると、原稿の読取領域の縦方向全体が宛先端末の画像表示手段の表示画素数の縦方向いっぱいに表示される解像度か、原稿の読取領域の横方向全体が宛先端末の画像表示手段の表示画素数の横方向いっぱいに表示される解像度のうち、より低い方の解像度と、原稿の読取領域の縦方向全体が宛先端末の画像表示手段の表示画素数の横方向いっぱいに表示される解像度か、原稿の読取領域の横方向全体が宛先端末の画像表示手段の表示画素数の縦方向いっぱいに表示される解像度のうち、より低い方の解像度のうち、より高い解像度を基本解像度とすることにより、９０度回転した画像の送信ファイルを作成する場合に、ユーザが画像を表示したい宛先端末の仕様を知らなくても、単に宛先端末を特定する宛先端末情報を入力するだけで、宛先端末の画像表示手段に適切に表示可能な解像度の送信ファイルを作成し、利用性を向上させつつ、宛先端末の画像表示手段が適切に表示できる画像を作成する画像処理装置を提供することを目的としている。
【００１７】
【課題を解決するための手段】
請求項１記載の発明の画像処理装置は、原稿の所定の読取領域を読み取る読取手段と、当該読取手段の読み取った原稿のアナログの画像データをデジタル画像データに変換するデジタル変換手段と、当該デジタル変換手段のデジタル変換した画像データを記憶するデータ記憶手段と、デジタル画像データに必要な画像処理を施す画像処理手段と、デジタル画像データをネットワーク送信可能な送信ファイルに変換するファイル変換手段と、当該ファイル変換手段の変換したファイルを当該ネットワークを介して画像表示手段を備えた種々の宛先端末に送信する送信手段と、を備えた画像処理装置であって、前記宛先端末を特定する宛先端末情報と当該宛先端末の備えている前記画像表示手段の表示画素数を対応させて記憶する宛先画素数記憶手段と、前記宛先端末情報が入力される入力手段と、前記読取手段による前記原稿の読取領域を決定する読取領域決定手段と、を備え、前記ファイル変換手段での前記送信ファイルの作成において、前記読取領域決定手段で原稿の読取領域が決定され、前記入力手段で宛先端末情報が入力されると、当該入力された宛先端末情報に基づいて前記宛先画素数記憶手段から当該宛先端末の画像表示手段の表示画素数を取得し、前記読取領域決定手段で決定された原稿の読取領域全体の画像を当該画像表示手段の表示画素数で表示可能な最大解像度を基本解像度とすることにより、上記目的を達成している。
【００１８】
上記構成によれば、原稿の所定の読取領域を読取手段で読み取った画像データをデジタル画像データに変換し、ネットワーク送信可能な送信ファイルに変換して、当該ネットワークを介して画像表示手段を備えた種々の宛先端末に当該送信ファイルを送信するに際して、宛先端末を特定する宛先端末情報と当該宛先端末の備えている画像表示手段の表示画素数を対応させて宛先画素数記憶手段に記憶し、送信ファイルの作成において、読取手段による原稿の読取領域が決定され、宛先端末情報が入力されると、当該入力された宛先端末情報に基づいて宛先画素数記憶手段から当該宛先端末の画像表示手段の表示画素数を取得し、原稿の読取領域全体の画像を当該画像表示手段の表示画素数で表示可能な最大解像度を基本解像度としているので、ユーザが画像を表示したい宛先端末の仕様を知らなくても、単に宛先端末を特定する宛先端末情報を入力するだけで、宛先端末の画像表示手段に適切に表示可能な解像度の送信ファイルを作成することができ、利用性を向上させつつ、宛先端末の画像表示手段が適切に表示できる画像を作成することができる。
【００１９】
この場合、例えば、請求項２に記載するように、前記画像処理装置は、前記原稿の読取領域の縦横比と前記宛先端末の画像表示手段の表示画素数の縦横比が異なると、前記原稿の読取領域の縦方向全体が前記宛先端末の画像表示手段の表示画素数の縦方向いっぱいに表示される解像度か、前記原稿の読取領域の横方向全体が前記宛先端末の画像表示手段の表示画素数の横方向いっぱいに表示される解像度のうち、より低い方の解像度を前記基本解像度とするものであってもよい。
【００２０】
上記構成によれば、原稿の読取領域の縦横比と宛先端末の画像表示手段の表示画素数の縦横比が異なると、原稿の読取領域の縦方向全体が宛先端末の画像表示手段の表示画素数の縦方向いっぱいに表示される解像度か、原稿の読取領域の横方向全体が宛先端末の画像表示手段の表示画素数の横方向いっぱいに表示される解像度のうち、より低い方の解像度を基本解像度としているので、原稿領域と宛先端末の画像表示手段の画素数の縦横比が異なっていても、両者が縦長または横長の形状であれば、ユーザが画像を表示したい宛先端末の仕様を知らなくても、単に宛先端末を特定する宛先端末情報を入力するだけで、宛先端末の画像表示手段に適切に表示可能な解像度の送信ファイルを作成することができ、利用性を向上させつつ、宛先端末の画像表示手段が適切に表示できる画像を作成することができる。
【００２１】
また、例えば、請求項３に記載するように、前記画像処理装置は、前記原稿の読取領域の縦横比と前記宛先端末の画像表示手段の表示画素数の縦横比が異なると、前記原稿の読取領域の縦方向全体が前記宛先端末の画像表示手段の表示画素数の横方向いっぱいに表示される解像度か、前記原稿の読取領域の横方向全体が前記宛先端末の画像表示手段の表示画素数の縦方向いっぱいに表示される解像度のうち、より低い方の解像度を前記基本解像度とするものであってもよい。
【００２２】
上記構成によれば、原稿の読取領域の縦横比と宛先端末の画像表示手段の表示画素数の縦横比が異なると、原稿の読取領域の縦方向全体が宛先端末の画像表示手段の表示画素数の横方向いっぱいに表示される解像度か、原稿の読取領域の横方向全体が宛先端末の画像表示手段の表示画素数の縦方向いっぱいに表示される解像度のうち、より低い方の解像度を基本解像度としているので、原稿領域と宛先端末の画像表示手段の画素数の縦横比が異なっていても、一方が縦長で、他方が横長の形状であれば、ユーザが画像を表示したい宛先端末の仕様を知らなくても、単に宛先端末を特定する宛先端末情報を入力するだけで、宛先端末の画像表示手段に適切に表示可能な解像度の送信ファイルを作成することができ、利用性を向上させつつ、宛先端末の画像表示手段が適切に表示できる画像を作成することができる。
【００２３】
さらに、例えば、請求項４に記載するように、前記画像処理装置は、前記原稿の読取領域の縦横比と前記宛先端末の画像表示手段の表示画素数の縦横比が異なると、前記原稿の読取領域の縦方向全体が前記宛先端末の画像表示手段の表示画素数の縦方向いっぱいに表示される解像度か、前記原稿の読取領域の横方向全体が前記宛先端末の画像表示手段の表示画素数の横方向いっぱいに表示される解像度のうち、より低い方の解像度と、前記原稿の読取領域の縦方向全体が前記宛先端末の画像表示手段の表示画素数の横方向いっぱいに表示される解像度か、前記原稿の読取領域の横方向全体が前記宛先端末の画像表示手段の表示画素数の縦方向いっぱいに表示される解像度のうち、より低い方の解像度のうち、より高い解像度を前記基本解像度とするするものであってもよい。
【００２４】
上記構成によれば、原稿の読取領域の縦横比と宛先端末の画像表示手段の表示画素数の縦横比が異なると、原稿の読取領域の縦方向全体が宛先端末の画像表示手段の表示画素数の縦方向いっぱいに表示される解像度か、原稿の読取領域の横方向全体が宛先端末の画像表示手段の表示画素数の横方向いっぱいに表示される解像度のうち、より低い方の解像度と、原稿の読取領域の縦方向全体が宛先端末の画像表示手段の表示画素数の横方向いっぱいに表示される解像度か、原稿の読取領域の横方向全体が宛先端末の画像表示手段の表示画素数の縦方向いっぱいに表示される解像度のうち、より低い方の解像度のうち、より高い解像度を基本解像度としているので、９０度回転した画像の送信ファイルを作成する場合に、ユーザが画像を表示したい宛先端末の仕様を知らなくても、単に宛先端末を特定する宛先端末情報を入力するだけで、宛先端末の画像表示手段に適切に表示可能な解像度の送信ファイルを作成することができ、利用性を向上させつつ、宛先端末の画像表示手段が適切に作成できる画像を送信することができる。
【００２５】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２６】
図１〜図１６は、本発明の画像処理装置の一実施の形態を示す図であり、図１は、本発明の画像処理装置の一実施の形態を適用した画像処理装置１の回路ブロック構成図である。
【００２７】
図１において、画像処理装置１は、読取ユニット２、ＳＢＵ（センサボードユニット）３、ＣＤＩＣ（データインターフェース制御部）４、ＩＰＰ（画像処理プロセッサ）５、スキャナコントローラ６、ＲＡＭ（Ｒａｎｄｏｍ  Ａｃｃｅｓｓ  Ｍｅｍｏｒｙ）７、ＲＯＭ（Ｒｅａｄ  Ｏｎｌｙ  Ｍｅｍｏｒｙ）８、ＩＭＡＣ（画像メモリアクセス制御部）９、メモリ群（ＭＥＭ）１０、システムコントローラ１１、液晶タッチパネル１２、ＲＡＭ１３、ＲＯＭ１４、ＮＷＡＣ（ネットワークアクセス制御部）１５、ＩＰＰ１６、ネットワークコントローラ１７、ＲＡＭ１８及びＲＯＭ１９等を備えており、読取ユニット２、ＳＢＵ３、ＣＤＩＣ４、ＩＰＰ５、スキャナコントローラ６、ＲＡＭ７及びＲＯＭ８が、シリアルバス２０に、ＣＤＩＣ４、ＩＭＡＣ９及びＮＷＡＣ１５が、パラレルバス２１に、ＩＭＡＣ９、ＲＡＭ１３及びＲＯＭ１４が、ローカルバス２２に、ＩＭＡＣ９と液晶タッチパネル１２が、ローカルバス２３に、そして、ＮＷＡＣ１５、ＲＡＭ１８及びＲＯＭ１９が、ローカルバス２４に、それぞれ接続されている。
【００２８】
読取ユニット（読取手段）２は、光源から読取光を原稿に照射して、原稿からの反射光をミラー及びレンズを介してＳＢＵ３に設けられたＣＣＤ（Ｃｈａｒｇｅ  Ｃｏｕｐｌｅｄ  Ｄｅｖｉｃｅ  ）等の受光素子に集光させて、当該受光素子で光電変換することで、原稿を走査して、原稿の画像を読み取り、ＳＢＵ３で画像信号をディジタル変換してディジタル画像信号としてＣＤＩＣ４に出力する。
【００２９】
ＣＤＩＣ４は、機能デバイス及びデータバス間における画像データの伝送を全て制御し、ＳＢＵ３、パラレルバス２１、ＩＰＰ５間のデータ転送を行う。
【００３０】
そして、ＣＤＩＣ４は、ＳＢＵ３からの画像信号をＩＰＰ５に転送し、ＩＰＰ５は、光学系及びディジタル信号への量子化に伴う信号劣化（スキャナー系の信号劣化）を補正して、再度、ＣＤＩＣ４に出力する。
【００３１】
スキャナコントローラ６は、ＲＯＭ８内のプログラムに基づいて、ＲＡＭ７をワークメモリとして利用して、読取ユニット２、ＳＢＵ３、ＣＤＩＣ４及びＩＰＰ５の動作を制御し、それぞれに必要な設定を行ったり、起動、終了、処理の過程を監視する。
【００３２】
シリアルバス２０に接続されているＲＡＭ７及びＲＯＭ８には、読取ユニット２、ＳＢＵ３、ＣＤＩＣ４、ＩＰＰ５及びスキャナコントローラ６が処理を行う際に必要となる情報が蓄積されており、例えば、読取ユニット２で画像を光学的に読み取る際のラスター走査速度や走査位置、画像処理装置１に搭載されている光学系やＣＣＤの特性（いわゆる個体差）に適した画像処理のパラメータ等が蓄積されている。ＲＯＭ８には、読取ユニット２、ＳＢＵ３、ＣＤＩＣ４、ＩＰＰ５及びスキャナコントローラ６の中のプロセッサの動作を記述したプログラムも格納されている。
【００３３】
ＩＭＡＣ９は、システムコントローラ１１の制御下で、デジタル画像データとＭＥＭ１０のアクセス制御、メモリ有効活用のためのデジタル画像データの圧縮／伸張等を行う。
【００３４】
ＭＥＭ１０は、圧縮された画像データを蓄積し、液晶タッチパネル（入力手段、読取領域決定手段）１２は、ユーザが画像処理装置１を使用する際に必要な各種情報を表示し、また、ユーザが表示画面に触れることで、種々の設定を行う。
【００３５】
システムコントローラ１１は、ＩＭＡＣ９や液晶タッチパネル１２の動作を制御し、それぞれに必要な設定を行ったり、起動、終了、処理経過等を監視する。
【００３６】
ローカルバス２２によりＩＭＡＣ９に接続されている宛先端末情報記憶手段としてのＲＡＭ１３及びＲＯＭ１４には、システムコントローラ１１、ＩＭＡＣ９、液晶タッチパネル１２及びＭＥＭ１０が処理を行うのに必要な情報が記憶されており、例えば、液晶タッチパネル１２に情報を表示する際のビットマップデータ、ＩＭＡＣ９で画像合成を行う際の絵柄やフォントデータ、ＭＥＭ１０で蓄積可能な総容量と残容量、種々の用紙とその寸法（図２参照）、画像を表示することが可能な種々の端末（宛先端末）とその表示画面（画像表示手段）の表示可能画素数（図３参照）等が記憶されている。また、ＲＯＭ１４には、ＩＭＡＣ９やシステムコントローラの中のプロセッサの動作を記述したプログラムも格納されている。
【００３７】
次に、ＮＷＡＣ１５には、ローカルエリアネットワーク及び広域ネットワーク等のネットワークＮＷが接続されており、ＮＷＡＣ１５は、ネットワークコントローラ１７の制御下で、ＮＷＡＣとのアクセス制御及びＩＰＰ１６とのアクセス制御及びネットワークＮＷで標準的に用いられている画像ファイル形式の圧縮／伸張を行って、送信ファイルを作成する。
【００３８】
ＩＰＰ１６は、デジタル画像データに対して画像処理を行い、画像の周波数特性や濃度特性、階調特性等を最適化する。
【００３９】
ネットワークコントローラ１７は、ＮＷＡＣ１５やＩＰＰ１６の動作を制御し、それぞれに必要な設定を行ったり、起動、終了、処理の経過を監視する。
【００４０】
ローカルバス２４によりＮＷＡＣ１５と接続されているＲＡＭ１８及びＲＯＭ１９には、ネットワークコントローラ１７、ＮＷＡＣ１５及びＩＰＰ１６が処理を行う際に必要となる情報が蓄積されており、例えば、各種通信プロトコルの設定や各種画像ファイルの圧縮形式に適した画像処理のパラメータ等が格納されている。また、ＲＯＭ１９には、ネットワークコントローラ１７、ＮＷＡＣ１５及びＩＰＰ１６の中にプロセッサの動作を記述したプログラムも格納されている。
【００４１】
次に、本実施の形態の作用を説明する。まず、本実施の形態の画像処理装置１における画像データの流れを、読取ユニット２で原稿を読み取ってそのデジタル画像データをＭＥＭ１０に格納するまでのＳｃａｎ  ｔｏ  Ｍｅｍｏｒｙジョブと、ＭＥＭ１０からデジタル画像データを読み出してネットワークＮＷを介して宛先端末へ送信するまでのＭｅｍｏｒｙ  ｔｏ  Ｎｅｔｗｏｒｋジョブと、に分けて、以下説明する。
【００４２】
まず、Ｓｃａｎ  ｔｏ  Ｍｅｍｏｒｙジョブについて説明する。画像処理装置１は、Ｓｃａｎ  ｔｏ  Ｍｅｍｏｒｙジョブでは、読取ユニット２で光学的に読み取った原稿の画像情報を、デジタル画像データとしてＳＢＵ３からＣＤＩＣ４を経由して、ＩＰＰ５へ転送し、ＩＰＰ５で、デジタル画像データに対して必要な画像処理を施した後、再びＣＤＩＣ４に戻す。ＣＤＩＣ４は、ＩＰＰ５から受信したデジタル画像データをパラレルバス２１を経由してＩＭＡＣ９へ転送し、ＩＭＡＣ９は、転送されてきたデジタル画像データを圧縮して、圧縮データをＭＥＭ１０へ蓄積する。
【００４３】
次に、Ｍｅｍｏｒｙ  ｔｏ  Ｎｅｔｗｏｒｋジョブについて説明する。画像処理装置１は、Ｍｅｍｏｒｙ  ｔｏ  Ｎｅｔｗｏｒｋジョブでは、ＩＭＡＣ９が、ＭＥＭ１０に蓄積された圧縮データを必要に応じて読み出し、圧縮データを読み出す時には、画像方向の回転、画像の合成、画像の変倍といった付加的な画像処理も必要に応じて行う。ＩＭＡＣ９は、ＭＥＭ１０から読み出した圧縮データを伸張して本来のディジタル画像データに戻して、パラレルバス２１を経由してＮＷＡＣ１５に転送する。ＮＷＡＣ１５は、転送されてきたデジタル画像データをＩＰＰ１６に転送し、ＩＰＰ１６で、デジタル画像データに対して必要な画像処理を行って、再びＮＷＡＣ１５に戻す。ＮＷＡＣ１５は、ＩＰＰ１６から受信したデジタル画像データを、ローカルエリアネットワーク及び広域ネットワーク等のネットワークＮＷで標準的に用いられている画像ファイル形式に圧縮し、必要なときには、他の電子データを付加して、ネットワークＮＷに送信する。
【００４４】
そして、画像処理装置１は、このＳｃａｎ  ｔｏ  ＭｅｍｏｒｙジョブとＭｅｍｏｒｙ  ｔｏ  Ｎｅｔｗｏｒｋジョブを、必ずしも交互に実施するわけではなく、例えば、ネットワークＮＷが混雑している場合には、Ｓｃａｎ  ｔｏ  Ｍｅｍｏｒｙジョブを先行して行って、ネットワークＮＷの混雑状況に関わらず、文書の読み取り動作を安定した速度で行い、また、マルチＴＩＦＦ形式のように１つのファイルに複数の画像を格納する場合や１つの画像ファイルを複数の宛先に送信する場合等は、Ｓｃａｎ  ｔｏ  Ｍｅｍｏｒｙジョブを実施する回数とＭｅｍｏｒｙ  ｔｏ  Ｎｅｔｗｏｒｋジョブを実施する回数が異なる。
【００４５】
画像処理装置１は、上記ジョブ管理をシステムコントローラ１１が行う。すなわち、システムコントローラ１１とスキャンコントローラ６は、パラレルバス２１、ＣＤＩＣ４及びシリアルバス２０を介して相互に通信を行い、また、システムコントローラ１１とネットワークコントローラ１７は、パラレルバス２１、ＮＷＡＣ１５を介して相互に通信を行う。そして、スキャナコントローラ６とネットワークコントローラ１７が、システムコントローラ１１の指示によって、各々が制御対象とするリソースを起動してジョブを開始し、リソースの動作が終了したときには、システムコントローラ１１へ終了通知を送信して、システムコントローラ１１が、ジョブの終了を認知する。
【００４６】
そして、画像処理装置１は、上記Ｓｃａｎ  ｔｏ  ＭｅｍｏｒｙジョブとＭｅｍｏｒｙ  ｔｏ  Ｎｅｔｗｏｒｋジョブを行って読取ユニット２で読み取った原稿の画像データを相手先に送信する際に、当該相手先の表示条件、特に、解像度に応じて画像処理を行って画像データを送信する。なお、解像度は、ＤＰＩ（１インチたりの画素数）を使用し、１インチ＝２５．４ｍｍとする。
【００４７】
まず、ユーザは、原稿を読取ユニット２に設置し、液晶タッチパネル１２の操作で必要な設定、例えば、原稿領域（原稿の読取領域）の指定、画像を表示したい宛先端末（以降、ターゲットという。）の表示画面の表示画素数を特定する情報等の設定を行う。この場合、画像処理装置１は、例えば、図４に示すような指定画面を液晶タッチパネル１２に表示し、ユーザが液晶タッチパネル１２をタッチ操作することで、原稿サイズ、画像ファイルの解像度、画像変倍率及び画像の回転の可否を設定入力する。図４では、例えば、原稿領域の寸法は、Ａ判やＢ判、官製葉書等のキーワードで指定し、画像ファイルの解像度は、ターゲットの製品名やターゲットに搭載されているＯＳ（Ｏｐｅｒａｔｉｎｇ  Ｓｙｓｔｅｍ  ）名等の表示画素数が一意の特定可能なキーワード（宛先端末情報）と、その画像サイズを１００とした場合のパーセンテージを用いて指定する。その他にユーザが行う設定する項目として、例えば、画像ファイル形式（ＪＰＥＧ形式、ＴＩＦＦ形式等）や画像ファイルの送信先、画質調整等を表示して、設定可能としてもよい。
【００４８】
そして、ユーザは、設定すべき情報の設定を完了すると、図４のスタートボタンを押下する等の操作で、設定内容を画像読取装置１に設定入力する。
【００４９】
画像処理装置１は、原稿が読取ユニット２に設置され、液晶タッチパネル１２の操作で必要な設定が行われて、スタートボタンが押されると、設定情報をＲＡＭ１３に蓄積する。
【００５０】
そして、図５に示すように、システムコントローラ１１が、ＲＯＭ１４及びＲＡＭ１３に蓄積されている情報を使用して、ユーザが選択したキーワードから原稿領域の寸法を特定し（ステップＳ１０１）、また、キーワードからターゲットの表示可能画素数を特定する（ステップＳ１０２）。
【００５１】
そして、システムコントローラ１１は、ターゲットの表示画面上に原稿領域内の画像全体を、アスペクト比（縦横比）を維持した状態で表示できる最大の解像度（以降、基本解像度）を見積もる。
【００５２】
すなわち、システムコントローラ１１は、原稿領域とターゲットの表示画面の画素数のアスペクト比が等しいかチェックし（ステップＳ１０３）、等しいときには、原稿領域とターゲットの表示画面一杯に表示される解像度を基本解像度とするアルゴリズム１を実行し（ステップＳ１０４）、画像ファイルの解像度を求める（ステップＳ１０５）。また、ステップＳ１０３で、原稿領域とターゲットの表示画面の画素数のアスペクト比が等しくないときには、システムコントローラ１１は、原稿領域とターゲットの表示画面が共に縦長または横長の形状であるかチェックし（ステップＳ１０６）、原稿領域とターゲットの表示画面が共に縦長または横長の形状であるときには、原稿領域の縦方向がターゲットの表示画面の縦方向いっぱいに表示される解像度と原稿領域の横方向がターゲットの表示画面の横方向いっぱいに表示される解像度をそれぞれ求め、より低い方の解像度を基本解像度とするアルゴリズム２を実行して（ステップＳ１０７）、画像ファイルの解像度を求める（ステップＳ１０５）。さらに、ステップＳ１０６で、原稿領域とターゲットの表示画面が共に縦長または横長の形状でないときには、システムコントローラ１１は、アルゴリズム３を実行して（ステップＳ１０８〜Ｓ１１２）、画像ファイルの解像度を求める（ステップＳ１０５）。
【００５３】
このステップＳ１０５での画像ファイルの解像度の決定では、アルゴリズム１からアルゴリズム３のいずれかで決定した基本解像度に対して、ユーザが設定したパーセンテージの値を１００で割った値を乗算することで、画像ファイルの解像度を決定する。
【００５４】
そして、アルゴリズム３では、システムコントローラ１１は、まず、原稿領域の縦方向がターゲットの表示画面の縦方向いっぱいに表示される解像度と原稿領域の横方向がターゲットの表示画面の横方向いっぱいに表示される解像度をそれぞれ求め、より低い方の解像度を基本解像度１とする（ステップＳ１０８）。次に、システムコントローラ１１は、原稿領域の縦方向がターゲットの表示画面の横方向いっぱいに表示される解像度と原稿領域の横方向がターゲットの表示画面の縦方向いっぱいに表示される解像度をそれぞれ求め、より低い方の解像度を基本解像度２とする（ステップＳ１０９）。そして、システムコントローラ１１は、画像の回転が許容されているかチェックし（ステップＳ１１０）、画像の回転が許容されているときには、基本解像度１と基本解像度２のうち、大きい方の解像度を基本解像度とする（ステップＳ１１１）。ステップＳ１１０で、画像の回転が許容されていないときには、システムコントローラ１１は、基本解像度１を基本解像度とする（ステップＳ１１２）。
【００５５】
そして、システムコントローラ１１は、上記動作を、読取ユニット２で原稿の読み取りが完了する前までに終了し、決定した解像度を、スキャナコントローラ６とネットワークコントローラ１７に通知する。
【００５６】
上述のように、画像処理装置１は、基本解像度を見積もるアルゴリズムとして、アルゴリズム１〜アルゴリズム３の３種類のアルゴリズムを搭載しており、以下、各アルゴリズム１〜アルゴリズム３について、詳細に説明する。
【００５７】
まず、アルゴリズム１について説明する。いま、例えば、原稿として、図６に示すような官製葉書（縦）サイズのものを用い、液晶タッチパネル１２上で、ユーザが、図７に太い囲い枠と太い文字線で示すように、官製葉書（縦）のサイズを原稿領域（原稿サイズ）として指定し、また、画像ファイルの解像度指定で、Ａ社製の電子手帳（型式０１２３）に装備されている表示画面に対して、画像サイズが５０％となる大きさで画像が表示される解像度を指定し、画像の回転の禁止を指定したものとする。
【００５８】
上述のように、液晶タッチパネル１２で、原稿サイズとして、官製葉書（縦）が指定され、画像ファイルの解像度として、Ａ社製の電子手帳（型式０１２３）で５０％が選択指定され、画像回転禁止が指定されて、スタートボタンがタッチ操作されると、システムコントローラ１１は、図５に示したように、ユーザが指定したキーワードから、原稿領域のサイズと、ターゲットで表示可能な画素数を特定する（ステップＳ１０１〜Ｓ１０２）。いま、上述のように、官製葉書（縦）というキーワードから、縦１４８ｍｍ×横１００ｍｍの寸法（図２参照）を特定し、Ａ社製の電子手帳（型式０１２３）というキーワードから、ターゲットの表示可能画素数を縦１７５画素×横１１８画素（図３参照）に特定する。そして、いま、双方のアスペクト比が等しいので、アルゴリズム１を使って基本解像度を求める（ステップＳ１０３〜Ｓ１０４）。
【００５９】
アルゴリズム１は、原稿領域内の画像がターゲットの表示画面いっぱいに表示されるような解像度を基本解像度とする。すなわち、上記例では、基本解像度を３０ＤＰＩと見積もり、この場合、原稿領域内の画像を基本解像度でターゲットの画面上に表示すると、図８に示すようになる。
【００６０】
次に、システムコントローラ１１は、基本解像度に対して、ユーザが設定したパーセンテージの値を１００で割った値を乗算し、画像ファイルの解像度を決定する（ステップＳ１０５）。上記例では、３０ＤＰＩに１／２（５０％）を乗算した１５ＤＰＩが画像ファイルの解像度となる。
【００６１】
次に、アルゴリズム２について説明する。いま、例えば、原稿として、図６に示したような官製葉書（縦）サイズのものを用い、液晶タッチパネル１２上で、ユーザが、図９に太い囲い枠と太い文字線で示すように、官製葉書（縦）のサイズを原稿領域（原稿サイズ）として指定し、また、画像ファイルの解像度指定で、Ｂ社製の電子ペーパー（型式ＡＢＣＤ）に装備されている表示画面に対して、画像サイズが７５％となる大きさで画像が表示される解像度を指定し、画像の回転の禁止を指定したものとする。
【００６２】
上述のように、液晶タッチパネル１２で、原稿サイズとして、官製葉書（縦）が指定され、画像ファイルの解像度として、Ｂ社製の電子ペーパー（型式ＡＢＣＤ）で７５％が選択指定され、画像回転禁止が指定されて、スタートボタンがタッチ操作されると、システムコントローラ１１は、図５に示したように、ユーザが指定したキーワードから、原稿領域のサイズと、ターゲットで表示可能な画素数を特定する（ステップＳ１０１〜Ｓ１０２）。いま、上述のように、官製葉書（縦）というキーワードから、縦１４８ｍｍ×横１００ｍｍの寸法（図２参照）を特定し、Ｂ社製の電子ペーパー（型式ＡＢＣＤ）というキーワードから、ターゲットの表示可能画素数を縦５２５画素×横２３７画素（図３参照）に特定する。そして、いま、双方のアスペクト比が異なるので、原稿領域内の画像をターゲットの表示画面いっぱいに表示すると、画像が歪んでしまう。そこで、システムコントローラ１１は、原稿領域とターゲットの表示画素数のそれぞれについて、縦方向と横方向のどちらに長い形状であるかを判定する（ステップＳ１０６）。上記例の場合、双方とも縦方向に長い形状であるので、アルゴリズム２を使って基本解像度を求める（ステップＳ１０３、Ｓ１０７）。
【００６３】
アルゴリズム２は、原稿領域の縦方向をターゲットの表示画面の縦方向いっぱいに表示される解像度と、原稿領域の横方向をターゲットの表示画面の横方向いっぱいに表示される解像度と、をそれぞれ見積もり、解像度の低い方を基本解像度とする。例えば、上記例では、９０ＤＰＩと６０ＤＰＩとなるため、６０ＤＰＩが基本解像度となり、この原稿領域内の画像を基本解像度でターゲットの表示画面上に表示すると、図１０に示すようになる。
【００６４】
次に、システムコントローラ１１は、基本解像度に対して、ユーザが設定したパーセンテージの値を１００で割った値を乗算し、画像ファイルの解像度を決定する（ステップＳ１０５）。上記例では、６０ＤＰＩに３／４（７５％）を乗算した４５ＤＰＩが画像ファイルの解像度となる。
【００６５】
また、アルゴリズム２では、例えば、原稿として、図１１に示すような官製葉書（横）サイズのものを用い、液晶タッチパネル１２上で、ユーザが、図１２に太い囲い枠と太い文字線で示すように、官製葉書（横）のサイズを原稿領域（原稿サイズ）として指定し、また、画像ファイルの解像度指定で、Ｃ社製の冷蔵庫（型式Ｘ１Ｙ２）に装備されている表示画面に対して、画像サイズが１００％となる大きさで画像が表示される解像度を指定し、画像の回転の禁止を指定したものとする。
【００６６】
上述のように、液晶タッチパネル１２で、原稿サイズとして、官製葉書（横）が指定され、画像ファイルの解像度として、Ｃ社製の冷蔵庫（型式Ｘ１Ｙ２）で１００％が選択指定され、画像回転禁止が指定されて、スタートボタンがタッチ操作されると、システムコントローラ１１は、図５に示したように、ユーザが指定したキーワードから、原稿領域のサイズと、ターゲットで表示可能な画素数を特定する（ステップＳ１０１〜Ｓ１０２）。いま、上述のように、官製葉書（横）というキーワードから、縦１００ｍｍ×横１４８ｍｍの寸法（図２参照）を特定し、Ｃ社製の冷蔵庫（型式Ｘ１Ｙ２）というキーワードから、ターゲットの表示可能画素数を縦２３７画素×横５２５画素（図３参照）に特定する。そして、いま、双方のアスペクト比が異なるので、原稿領域内の画像をターゲットの表示画面いっぱいに表示すると、画像が歪んでしまう。そこで、システムコントローラ１１は、原稿領域とターゲットの表示画素数のそれぞれについて、縦方向と横方向のどちらに長い形状であるかを判定する（ステップＳ１０６）。上記例の場合、双方とも横方向に長い形状であるので、アルゴリズム２を使って基本解像度を求める（ステップＳ１０３、Ｓ１０７）。
【００６７】
そして、上記例の場合、原稿領域の縦方向をターゲットの表示画面の縦方向いっぱいに表示できる解像度は、６０ＤＰＩであり、原稿領域の横方向をターゲットの表示画面の横方向いっぱいに表示できる解像度は、９０ＤＰＩであるので、解像度の低い方である６０ＤＰＩの解像度が基本解像度となり、この原稿領域内の画像を基本解像度でターゲットの表示画面上に表示すると、図１３に示すようになる。
【００６８】
次に、システムコントローラ１１は、基本解像度に対して、ユーザが設定したパーセンテージの値を１００で割った値を乗算し、画像ファイルの解像度を決定する（ステップＳ１０５）。上記例では、６０ＤＰＩに１（１００％）を乗算した６０ＤＰＩが画像ファイルの解像度となる。
【００６９】
次に、アルゴリズム３について説明する。いま、例えば、原稿として、図６に示したような官製葉書（縦）サイズのものを用い、液晶タッチパネル１２上で、ユーザが、図１４に太い囲い枠と太い文字線で示すように、官製葉書（縦）のサイズを原稿領域（原稿サイズ）として指定し、また、画像ファイルの解像度指定で、Ｄ社製のＯＳ（型式Ｌ１Ｍ２）に装備されている表示画面に対して、画像サイズが５０％となる大きさで画像が表示される解像度を指定し、画像の回転の許可を指定したものとする。
【００７０】
上述のように、液晶タッチパネル１２で、原稿サイズとして、官製葉書（縦）が指定され、画像ファイルの解像度として、Ｄ社製のＯＳ（型式Ｌ１Ｍ２）で５０％が選択指定され、画像回転許可が指定されて、スタートボタンがタッチ操作されると、システムコントローラ１１は、図５に示したように、ユーザが指定したキーワードから、原稿領域のサイズと、ターゲットで表示可能な画素数を特定する（ステップＳ１０１〜Ｓ１０２）。いま、上述のように、官製葉書（縦）というキーワードから、縦１４８ｍｍ×横１００ｍｍの寸法（図２参照）を特定し、Ｄ社製のＯＳ（型式Ｌ１Ｍ２）というキーワードから、ターゲットの表示可能画素数を縦３５５画素×横４７３画素（図３参照）に特定する。そして、いま、双方のアスペクト比が異なり、原稿領域の形状が縦長であるのに対して、ターゲットの表示画面が横長の形状であるので、アルゴリズム３を使って基本解像度を求める（ステップＳ１０３、Ｓ１０６、Ｓ１０８〜Ｓ１１２）。
【００７１】
アルゴリズム３では、システムコントローラ１１は、まず、原稿領域の縦方向を、ターゲットの表示画面の縦方向いっぱいに表示できる解像度と、原稿領域の横方向を、ターゲットの表示画面の横方向いっぱいに表示できる解像度と、を求め、より低い方の解像度を基本解像度１とする（ステップＳ１０８）。次に、システムコントローラ１１は、原稿領域の縦方向を、ターゲットの表示画面の横方向いっぱいに表示できる解像度と、原稿領域の横方向を、ターゲットの表示画面の縦方向いっぱいに表示できる解像度と、を求め、より低い方の解像度を基本解像度２とする（ステップＳ１０９）。
【００７２】
いま、上記例の場合に、原稿領域内の画像を基本解像度１で、ターゲットの画面上に表示すると、図１５のように示すことができ、また、原稿領域内の画像を基本解像度２で、ターゲットの画面上に表示すると、図１６のように示すことができる。そして、上記例の場合、基本解像度１は、６０ＤＰＩとなり、基本解像度２は、８４ＤＰＩとなる。
【００７３】
次に、システムコントローラ１１は、原稿領域内の画像を９０度回転させた画像ファイルを作成することがユーザによって許可されているか否かを確認する（ステップＳ１１０）。すなわち、液晶タッチパネル１２での設定で、原稿領域や画像ファイルの解像度と同様に、ユーザが画像の回転を許容しているか否かをチェックして、判別する。
【００７４】
上記例では、画像の回転が許されているので、システムコントローラ１１は、基本解像度１と基本解像度２のうち、より高い方（大きい方）の解像度、すなわち、大きい方の基本解像度２を最終的な基本解像度として決定する（ステップＳ１１１）。
【００７５】
次に、システムコントローラ１１は、最終的な基本解像度に対して、ユーザが設定したパーセンテージの値を１００で割った値を乗算し、画像ファイルの解像度を決定する（ステップＳ１０５）。上記例では、基本解像度２の８４ＤＰＩに１／２（５０％）を乗算した４２ＤＰＩが画像ファイルの解像度となる。
【００７６】
なお、ユーザが画像の回転を禁止している場合には、基本解像度１を最終的な基本解像度とし（ステップＳ１１２）、基本解像度１の６０ＤＰＩに１／２（５０％）を乗算した３０ＤＰＩが画像ファイルの解像度となる。
【００７７】
そして、所望の解像度のデジタル画像データを作成する方法としては、以下の２つの方法がある。
【００７８】
まず、第１の方法は、読取ユニット２で原稿の画像を読み取る際に、ラスター走査する速度を制御する方法である。この方法では、走査する方向に対して、画像をサンプリングする間隔が変化するため、結果的にデジタル画像データの解像度が変化する。ところが、この方法では、１方向にしか解像度を変更することができない。
【００７９】
第２の方法は、ＩＭＡＣ９がＭＥＭ１０から圧縮データを取り出す際に、データの一部を間引いたり、補完したりする方法である。この方法では、画像の縦方向と横方向の両方について、任意の解像度をもったデジタル画像データを作成することができる。ところが、人工的に画素を補完するので画質が劣化する。
【００８０】
通常は、これら２つの方法を組み合わせて所望の解像度のデジタル画像データを作成する。
【００８１】
また、画像処理装置１は、デジタル画像データの回転を、アルゴリズム３において基本解像度２が最終的な解像度として決定したことを条件として、原稿領域内の画像を回転、例えば、９０度回転した画像ファイルを作成する。この画像の回転動作は、ＩＭＡＣ９がＭＥＭ１０から圧縮データを読み出す際に行う。そして、画像処理装置１は、アルゴリズム１とアルゴリズム２を実行した場合及びアルゴリズム３で基本解像度１を最終的な解像度として決定した場合には、ユーザが画像の回転を許可するか否かに関わらず、画像の回転を行わない。
【００８２】
このように、本実施の形態の画像処理装置１は、原稿の所定の読取領域を読取ユニット２で読み取って、デジタル画像データに変換してＭＥＭ１０に記憶し、当該ＭＥＭ１０のデジタル画像データを必要な画像処理を施した後、ネットワーク送信可能な送信ファイルに変換して、当該ネットワークを介して表示画面を備えた種々の宛先端末であるターゲットに当該送信ファイルを送信するに際して、ターゲットを特定するキーワードと当該ターゲットの備えている表示画面の表示画素数を対応させてＲＡＭ１３、ＲＯＭ１４に記憶し、読取ユニット２による原稿の読取領域が決定され、液晶タッチパネル１２からキーワードが入力されると、当該入力されたキーワードに基づいてＲＡＭ１３、ＲＯＭ１４から当該ターゲットの表示画面の表示画素数を取得し、原稿の読取領域全体の画像を当該表示画面の表示画素数で表示可能な最大解像度を基本解像度とし、当該基本解像度の送信ファイルを生成してターゲットに送信している。
【００８３】
したがって、ユーザが画像を表示したいターゲットの仕様を知らなくても、単にターゲットを特定するキーワードを入力するだけで、ターゲットの表示画面に適切に表示可能な解像度の送信ファイルを作成して送信することができ、利用性を向上させつつ、ターゲットの表示画面が適切に表示できる画像を送信することができる。
【００８４】
また、本実施の形態の画像処理装置１は、原稿の読取領域の縦横比とターゲットの表示画面の表示画素数の縦横比（アスペクト比）が異なると、原稿の読取領域の縦方向全体がターゲットの表示画面の表示画素数の縦方向いっぱいに表示される解像度か、原稿の読取領域の横方向全体がターゲットの表示画面の表示画素数の横方向いっぱいに表示される解像度のうち、より低い方の解像度を基本解像度としている。
【００８５】
したがって、原稿領域とターゲットの表示画面の画素数の縦横比が異なっていても、両者が縦長または横長の形状であれば、ユーザが画像を表示したいターゲットの仕様を知らなくても、単にターゲットを特定するキーワードを入力するだけで、ターゲットの表示画面に適切に表示可能な解像度の送信ファイルを作成して送信することができ、利用性を向上させつつ、ターゲットの表示画面が適切に表示できる画像を送信することができる。
【００８６】
さらに、本実施の形態の画像処理装置１は、原稿の読取領域の縦横比とターゲットの表示画面の表示画素数の縦横比が異なると、原稿の読取領域の縦方向全体がターゲットの表示画面の表示画素数の横方向いっぱいに表示される解像度か、原稿の読取領域の横方向全体がターゲットの表示画面の表示画素数の縦方向いっぱいに表示される解像度のうち、より低い方の解像度を基本解像度としている。
【００８７】
したがって、原稿領域とターゲットの表示画面の画素数の縦横比が異なっていても、一方が縦長で、他方が横長の形状であれば、ユーザが画像を表示したいターゲットの仕様を知らなくても、単にターゲットを特定するキーワードを入力するだけで、ターゲットの表示画面に適切に表示可能な解像度の送信ファイルを作成して送信することができ、利用性を向上させつつ、ターゲットの表示画面が適切に表示できる画像を送信することができる。
【００８８】
また、本実施の形態の画像処理装置１は、原稿の読取領域の縦横比とターゲットの表示画面の表示画素数の縦横比が異なると、原稿の読取領域の縦方向全体がターゲットの表示画面の表示画素数の縦方向いっぱいに表示される解像度か、原稿の読取領域の横方向全体がターゲットの表示画面の表示画素数の横方向いっぱいに表示される解像度のうち、より低い方の解像度と、原稿の読取領域の縦方向全体がターゲットの表示画面の表示画素数の横方向いっぱいに表示される解像度か、原稿の読取領域の横方向全体がターゲットの表示画面の表示画素数の縦方向いっぱいに表示される解像度のうち、より低い方の解像度のうち、より高い解像度を基本解像度としている。
【００８９】
したがって、９０度回転した画像の送信ファイルを作成する場合に、ユーザが画像を表示したいターゲットの仕様を知らなくても、単にターゲットを特定するキーワードを入力するだけで、ターゲットの表示画面に適切に表示可能な解像度の送信ファイルを作成して送信することができ、利用性を向上させつつ、ターゲットの表示画面が適切に表示できる画像を送信することができる。
【００９０】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００９１】
【発明の効果】
請求項１記載の発明の画像処理装置によれば、原稿の所定の読取領域を読取手段で読み取った画像データをデジタル画像データに変換し、ネットワーク送信可能な送信ファイルに変換して、当該ネットワークを介して画像表示手段を備えた種々の宛先端末に当該送信ファイルを送信するに際して、宛先端末を特定する宛先端末情報と当該宛先端末の備えている画像表示手段の表示画素数を対応させて宛先画素数記憶手段に記憶し、送信ファイルの作成において、読取手段による原稿の読取領域が決定され、宛先端末情報が入力されると、当該入力された宛先端末情報に基づいて宛先画素数記憶手段から当該宛先端末の画像表示手段の表示画素数を取得し、原稿の読取領域全体の画像を当該画像表示手段の表示画素数で表示可能な最大解像度を基本解像度としているので、ユーザが画像を表示したい宛先端末の仕様を知らなくても、単に宛先端末を特定する宛先端末情報を入力するだけで、宛先端末の画像表示手段に適切に表示可能な解像度の送信ファイルを作成することができ、利用性を向上させつつ、宛先端末の画像表示手段が適切に表示できる画像を作成することができる。
【００９２】
請求項２記載の発明の画像処理装置によれば、原稿の読取領域の縦横比と宛先端末の画像表示手段の表示画素数の縦横比が異なると、原稿の読取領域の縦方向全体が宛先端末の画像表示手段の表示画素数の縦方向いっぱいに表示される解像度か、原稿の読取領域の横方向全体が宛先端末の画像表示手段の表示画素数の横方向いっぱいに表示される解像度のうち、より低い方の解像度を基本解像度としているので、原稿領域と宛先端末の画像表示手段の画素数の縦横比が異なっていても、両者が縦長または横長の形状であれば、ユーザが画像を表示したい宛先端末の仕様を知らなくても、単に宛先端末を特定する宛先端末情報を入力するだけで、宛先端末の画像表示手段に適切に表示可能な解像度の送信ファイルを作成することができ、利用性を向上させつつ、宛先端末の画像表示手段が適切に表示できる画像を作成することができる。
【００９３】
請求項３記載の発明の画像処理装置によれば、原稿の読取領域の縦横比と宛先端末の画像表示手段の表示画素数の縦横比が異なると、原稿の読取領域の縦方向全体が宛先端末の画像表示手段の表示画素数の横方向いっぱいに表示される解像度か、原稿の読取領域の横方向全体が宛先端末の画像表示手段の表示画素数の縦方向いっぱいに表示される解像度のうち、より低い方の解像度を基本解像度としているので、原稿領域と宛先端末の画像表示手段の画素数の縦横比が異なっていても、一方が縦長で、他方が横長の形状であれば、ユーザが画像を表示したい宛先端末の仕様を知らなくても、単に宛先端末を特定する宛先端末情報を入力するだけで、宛先端末の画像表示手段に適切に表示可能な解像度の送信ファイルを作成することができ、利用性を向上させつつ、宛先端末の画像表示手段が適切に表示できる画像を作成することができる。
【００９４】
請求項４記載の発明の画像処理装置によれば、原稿の読取領域の縦横比と宛先端末の画像表示手段の表示画素数の縦横比が異なると、原稿の読取領域の縦方向全体が宛先端末の画像表示手段の表示画素数の縦方向いっぱいに表示される解像度か、原稿の読取領域の横方向全体が宛先端末の画像表示手段の表示画素数の横方向いっぱいに表示される解像度のうち、より低い方の解像度と、原稿の読取領域の縦方向全体が宛先端末の画像表示手段の表示画素数の横方向いっぱいに表示される解像度か、原稿の読取領域の横方向全体が宛先端末の画像表示手段の表示画素数の縦方向いっぱいに表示される解像度のうち、より低い方の解像度のうち、より高い解像度を基本解像度としているので、９０度回転した画像の送信ファイルを作成する場合に、ユーザが画像を表示したい宛先端末の仕様を知らなくても、単に宛先端末を特定する宛先端末情報を入力するだけで、宛先端末の画像表示手段に適切に表示可能な解像度の送信ファイルを作成することができ、利用性を向上させつつ、宛先端末の画像表示手段が適切に作成できる画像を送信することができる。
【図面の簡単な説明】
【図１】本発明の画像処理装置の一実施の形態を適用した画像処理装置の要部ブロック構成図。
【図２】図１のＲＡＭ及びＲＯＭに格納されている種々の用紙をキーワードとするその寸法のテーブルの一例を示す図。
【図３】図１のＲＡＭ及びＲＯＭに格納されている種々の宛先端末をキーワードとその表示画面の画素数のテーブルの一例を示す図。
【図４】図１の液晶タッチパネルの表示画面の一例を示す平面図。
【図５】図１の画像処理装置による解像度決定処理を示すフローチャート。
【図６】図１の読取ユニットで読み取る原稿の一例としての官製葉書（縦）の平面図。
【図７】図５の解像度決定処理のアルゴリズム１の場合の液晶タッチパネルの設定画面の一例を示す平面図。
【図８】図６の原稿の官製葉書（縦）をアルゴリズム１で決定した解像度で表示するターゲットの表示画面の平面図。
【図９】図５の解像度決定処理のアルゴリズム２の場合の液晶タッチパネルの設定画面の一例を示す平面図。
【図１０】図６の原稿の官製葉書（縦）をアルゴリズム２で決定した解像度で表示するターゲットの表示画面の平面図。
【図１１】図１の読取ユニットで読み取る原稿の他の例としての官製葉書（横）の平面図。
【図１２】図５の解像度決定処理のアルゴリズム２の他の例の場合の液晶タッチパネルの設定画面の一例を示す平面図。
【図１３】図１１の原稿の官製葉書（縦）を図１２の液晶タッチパネルの操作に基づいてアルゴリズム２で決定した解像度で表示するターゲットの表示画面の平面図。
【図１４】図５の解像度決定処理のアルゴリズム３の場合の液晶タッチパネルの設定画面の一例を示す平面図。
【図１５】図６の原稿の官製葉書（縦）をアルゴリズム３で決定した基本解像度１で表示するターゲットの表示画面の平面図。
【図１６】図６の原稿の官製葉書（縦）をアルゴリズム３で決定した基本解像度２でかつ回転させて表示するターゲットの表示画面の平面図。
【図１７】従来のデジタル複写装置の原稿のサイズと出力用紙のサイズとを指定する操作画面の一例の平面図。
【図１８】従来のデジタル複写装置の原稿のサイズと出力用紙のサイズに基づく変換倍率のテーブルの一例を示す図。
【符号の説明】
１  画像処理装置
２  読取ユニット
３  ＳＢＵ
４  ＣＤＩＣ
５  ＩＰＰ
６  スキャナコントローラ
７  ＲＡＭ
８  ＲＯＭ
９  ＩＭＡＣ
１０  メモリ群（ＭＥＭ）
１１  システムコントローラ
１２  液晶タッチパネル
１３  ＲＡＭ
１４  ＲＯＭ
１５  ＮＷＡＣ
１６  ＩＰＰ
１７  ネットワークコントローラ
１８  ＲＡＭ
１９  ＲＯＭ
２０  シリアルバス
２１  パラレルバス
２２、２３、２４  ローカルバス
ＮＷ  ネットワーク
【図１】
2005020059.tif 000003
【図２】
2005020059.tif 000004
【図３】
2005020059.tif 000005
【図４】
2005020059.tif 000006
【図５】
2005020059.tif 000007
【図６】
2005020059.tif 000008
【図７】
2005020059.tif 000009
【図８】
2005020059.tif 000010
【図９】
2005020059.tif 000011
【図１０】
2005020059.tif 000012
【図１１】
2005020059.tif 000013
【図１２】
2005020059.tif 000014
【図１３】
2005020059.tif 000015
【図１４】
2005020059.tif 000016
【図１５】
2005020059.tif 000017
【図１６】
2005020059.tif 000018
【図１７】
2005020059.tif 000019
【図１８】
2005020059.tif 000020